【手続補正書】
【提出日】平成23年2月8日(2011.2.8)
【手続補正１】
【補正対象書類名】明細書
【補正対象項目名】００３３
【補正方法】変更
【補正の内容】
【００３３】
前に述べられた演算及び動作に加えて、シーケンス生成コンポーネント２１８は、プロセッサ２２５を利用して、シーケンス生成及び提携の一部を実行することができ、例えば、擬似乱数生成、ウォルシュ−アダマール・シーケンスの組み立てに関与する行列操作、ＧＣＬシーケンスの生成、セル／セクタ識別子の決定、連鎖指示の生成、同様に、レジスタを初期化すること、及びメモリ２３５中に生成されたシーケンスと更新されたカウンタ値とを記憶することである。さらに、プロセッサ２２５は、制御チャネルとデータ・チャネルと同様にシーケンスを通信するために必要なデータ操作を実行することができる。１つの態様では、ＦＤＭＡ無線システムにおいて、プロセッサ２２５は、正（direct）／逆フーリエ変換（Ｄ／ＩＦＴ）−−通信の前にシーケンスを周波数−時間リソース・ブロックへとマッピングするために必要−−アダマール変換、シーケンスへの巡回プリフィックスの追加、制御ストリームとデータ・ストリームの変調、同様に直列−並列操作／並列−直列操作、を実行することができる。ＣＤＭＡ無線システム（例えば、ウルトラ−モバイル・ブロードバンド（ultra-mobile broadband））において、制御シーケンス又はトラフィック・シーケンス中のシンボルのスクランブリングは、プロセッサ２２５により実行されることができる。プロセッサ２２５がアクセス端末２６０とノードＢ２１０との通信に関係する他の動作を実行することができることが認識されるはずであり、そのような追加の動作は、当業者に容易にはっきりと理解されるはずである。
【手続補正２】
【補正対象書類名】明細書
【補正対象項目名】００３４
【補正方法】変更
【補正の内容】
【００３４】
メモリ２３５は、シーケンス及びセル／セクタ識別情報インデックスとのシーケンスの提携を生成するために利用するコード命令／モジュール、同様に順方向リンク２４０を介してそのようなシーケンス、制御及びデータを操作しそして送信するために必要なオペレーションのためのコード命令、を記憶することができる。
【手続補正３】
【補正対象書類名】明細書
【補正対象項目名】００３６
【補正方法】変更
【補正の内容】
【００３６】
同期化チャネル捕捉の一部として、あるコンポーネント、コリレータ２６８、は、本質的に異なるシーケンスを（時間ドメイン又は周波数ドメインにおいて）関連付け、そしてタイミング情報（例えば、時間オフセット、又はスーパーフレーム、フレームとシンボル境界検出）、周波数同期化、及びセル／セクタ識別子のような他のシステム情報を抽出するために関連付けられたシーケンスの複数の部分をコヒーレントに統合するように加算器２７１を利用する。コリレータ２６８及び加算器２７１は、プロセッサ２７５を信頼して、時間的な相関付け、統合、同様に逆ＦＦＴ（ＩＦＦＴ）のような他の動作を実行する。タイミング及び周波数同期方法、例えば、ムース（Moose）法、ヴァン・デ・ビーンク（Van De Beenk）法、及びシュミット（Schmidl）法、は、送信されたビット系列（series）又は複素シンボル系列（例えば、ＰＳＣ）の繰り返し部分を有する固有のコード・シーケンスを提案して、フレームとサブフレーム境界、同様に周波数オフセットを推定する。別の方法も、時間相関付け、スーパーフレーム、フレームとシンボル境界検出；ＣＰ期間；及び周波数同期化、のために使用されることができる。
【手続補正４】
【補正対象書類名】明細書
【補正対象項目名】００４２
【補正方法】変更
【補正の内容】
【００４２】
図５は、それぞれ、長さＮ＝６４とＮ＝７１のザドフ−チュー・シーケンスに関するメトリック係数Ｆ［式（２）］の実際の計算対時間ドメイン・ルート・インデックスλを図５００と図５６０で図示し、ここで、ｇ．．ｃ．ｄ．（λ，Ｎ）＝１である。Ｆは複数の異なるルート・インデックス｛λ｝間の比較を容易にするが、周波数オフセットΔｖを測定しないことが、注意されるべきである。Ｆの変動は、ルート・インデックスの関数として振幅の次数（order）を得ることを可能にする。ルート・インデックスλ０＝１とその中心対称値λ’０＝Ｎ−１は、最悪のケースのシナリオである。実際の周波数誤差は、直接の関係を通してよりはむしろクラーマ−ラオ・バウンド（Cramer-Rao bound）を通してＦに関連させることができる。０．１のしきい値（任意の単位で）に関して、Ｎ＝６4に対する良い、又は最適な、ルート・インデックスのセットは、σ６４（ｇｏｏｄ）＝｛１９，２３，２５，２７，２９，３５，３９，４１，４５｝である、ところがＮ＝７１に対する良いルート・インデックスのセットは、σ７１（ｇｏｏｄ）＝｛２１，２５，２６，３０，４１，４５，４６，５０｝である。良い値のセットが選択されたしきい値に敏感であることが、認識されるはずである。
【手続補正５】
【補正対象書類名】明細書
【補正対象項目名】００５１
【補正方法】変更
【補正の内容】
【００５１】
図９は、時間ドメイン又は周波数ドメインのいずれかにおいて、最適ルート・インデックスを有する基本シーケンスに少なくとも一部は基づいて３つの主同期化シーケンスのセットを生成するための一例の方法９００のフローチャートである。３つのシーケンスの生成が、Ｅ−ＵＴＲＡにおける最適周波数同期化を確実にする最適主同期化チャネルの設計に直接的に関係するとはいえ、最適インデックスを有する複数のシーケンスは、例の方法９００により生成されることが可能である。行為９１０では、最適ルート・インデックスλ０を有する長さＮの基本シーケンス（Ｎは正の整数）は、（例えば、シーケンス生成コンポーネント２１８により）生成され、そして第１主同期化コード（例えば、ＰＳＣ１  ３２０１）に関係付けられる。最適ルート・インデックスの選択は、例の方法８００を介してもたらされることができる。行為９２０では、共役化演算及び符号反転演算は、ルート・インデックスλ０そして長さＮの基本シーケンスに適用され、そしてその結果は第２ＰＳＣ（例えば、ＰＳＣ２  ３２０２）に関係付けられる。共役化演算及び符号反転演算がルート・インデックスλ０を有するシーケンスを生成することと等価であることは、注目されるはずである。行為９３０では、（Ｎ）１／２が整数であるかどうかが検査される。否定のケースでは、フローは、行為９４０へ向けられ、そして最適ルート・インデックスλ１を有する長さＮのシーケンスが（例えば、シーケンス生成コンポーネント２１８により）生成され、そして第３ＰＳＣ（例えば、ＰＳＣ３  ３２０３）と関係づけられる。肯定のケースでは、フローは、行為９５０に向けられ、そして基本シーケンスは、周期κ＝（Ｎ）１／２の周期シーケンスＢκにより変調される。
【手続補正６】
【補正対象書類名】明細書
【補正対象項目名】００５６
【補正方法】変更
【補正の内容】
【００５６】
単一ユーザ（ＳＵ）モードのオペレーションは、図１０に示されたようにそして上に説明されたオペレーションにしたがって、単一の受信機システム１０５０が送信機システム１０１０と通信するケースに対応する。本願モードのオペレーションでは、セル間の出力は、本明細書中で前に説明したような効果をもたらすことができる。ＳＵ−ＭＩＭＯシステムでは、ＮＴ個の送信機１０２４１−１０２４Ｔ（ＴＸアンテナとしても知られる）とＮＲ個の受信機１０５２１−１０５２Ｒ（ＲＸアンテナとしても知られる）は、無線通信のためのマトリックス・チャネル（例えば、レーリー（Rayleigh）チャネル、又はガウス（Gaussian）チャネル）を形成する。ＳＵ−ＭＩＭＯチャネルは、ランダムな複素数のＮＲ×ＮＴ行列により一般に表わされる。チャネルの階数は、ＮＲ×ＮＴチャネルの代数的階数に等しい。空間−時間コーディング又は空間−周波数コーディングでは、階数は、チャネルを介して送られるデータ・ストリームの数、又はレイヤの数に等しい。階数は多くともｍｉｎ｛ＮＴ，ＮＲ｝に等しいことが認識されるはずである。ＮＴ個の送信アンテナとＮＲ個の受信アンテナにより形成されるＭＩＭＯチャネルは、ＮＶ個の独立したチャネルへと分解され、それは空間チャネルとも呼ばれる、ここで、ＮＶ≦ｍｉｎ｛ＮＴ，ＮＲ｝である。ＮＶ個の独立したチャネルのそれぞれは、ディメンション又は通信レイヤに対応する。同期化チャネル生成器２１５は、生成したシーケンスの変調の後で、ＭＩＭＯチャネルがそこで分解されることができるＮＶ個の通信レイヤへと生成されたシーケンスをマッピングすることができる。プロセッサ２２５は、マッピングの一部を実行することができる。
【手続補正７】
【補正対象書類名】明細書
【補正対象項目名】００６０
【補正方法】変更
【補正の内容】
【００６０】
図１１は、本発明の明細書の態様にしたがって主同期化チャネルを設計することを可能にする一例のシステム１１００のブロック図を図示する。１つの態様では、主同期化を設計することは、本明細書中に説明したように主同期化シーケンスのセットを生成すること、最適化すること、そして伝達することを備える。システム１１００は、無線基地局（例えば、ノードＢ２１０）内に少なくとも部分的に常駐することができる。システム１１００は、協働して動作することができる電子コンポーネントの論理グループ１１１０を含む。１つの態様では、論理グループ１１１０は、時間ドメイン・ルート・インデックスのセットに関する性能メトリックを計算するための電子コンポーネント１１１５、第１性能基準にしたがい最適時間ドメイン・ルート・インデックスを同定するための電子コンポーネント１１２５、時間ドメイン最適ルート・インデックスに関する周波数ドメイン・ルート・インデックスを決定するための電子コンポーネント１１３５、周波数ドメイン・ルート・インデックスに関する性能メトリックを計算するための電子コンポーネント１１４５、及び第１ドメインにおいて最適ルート・インデックスを用いて長さＮ（正の整数）のザドフ−チュー・シーケンスを生成するための電子コンポーネント１１５５を含む。